(57)【要約】【課題】　発呼者に相当するイメージを理解しやすく表示することができる無線受信機を提供する。【解決手段】　アンテナ１１を介して呼出し信号とともに電話番号データをＲＦ受信部１２で受信すると、この時の電話番号データに対しＲＡＭ２２のメモリエリアに格納された発呼者の電話番号と一致するものがあるか判断し、一致するものがあると、この電話番号に対応する発呼者に相当する名前データおよび似顔絵などのイラストパターンを読み出し、表示手段１７に表示する。【選択図】　　　図２
2004080804.tif 000002
【特許請求の範囲】
【請求項１】
識別情報を受信する受信手段と、
　前記識別情報に対応してイラストパターンを記憶した記憶手段と、
　表示手段と、
　前記受信手段で受信した識別情報に基づいて前記記憶手段より対応するイラストパターンを読み出し前記表示手段に表示させる制御手段と、
　を具備したことを特徴とする無線受信装置。
【請求項２】
識別情報を受信する受信手段と、
　前記識別情報に対応して発呼者を特定する表示内容、イラストパターンの少なくともひとつを記憶した記憶手段と、
　表示手段と、
　前記受信手段で受信した識別情報により該識別情報に対応して前記記憶手段に記憶された前記表示内容またはイラストパターンを読み出し前記表示手段に表示させる制御手段と、
　を具備したことを特徴とする無線受信装置。
【請求項３】
識別情報を受信する受信手段と、
　前記識別情報に対応して発呼者を特定する表示内容、イラストパターンとともに表示形態を指示する制御フラグを記憶した記憶手段と、
　表示手段と、
　前記受信手段で受信した識別情報により該識別情報に対応して前記記憶手段に記憶された前記制御フラグの指示内容に基づいて前記表示内容またはイラストパターンを読み出し前記表示手段に表示させる制御手段と、
　を具備したことを特徴とする無線受信装置。
【請求項４】
識別情報を受信する受信手段と、
　表示形態を指定するモードを設定する設定手段と、
　モード毎に前記識別情報に対応して発呼者を特定する表示内容、イラストパターンを個別に記憶する記憶手段と、
　表示手段と、
　前記設定手段により設定されたモードに従って前記受信手段で受信した識別情報により該識別情報に対応して前記記憶手段に個別に記憶された前記表示内容またはイラストパターンをそれぞれ読み出し前記表示手段に表示させる制御手段と、
　を具備したことを特徴とする無線受信装置。
【発明の詳細な説明】
【技術分野】
【０００１】
　本発明は、イラスト情報を受信可能にした無線受信装置に関するものである。
【背景技術】
【０００２】
　最近、加入者が携帯する間欠受信を行う無線受信装置の一種であるペ−ジング受信機に対して一般電話機より交換局を介して呼出番号とともに情報メッセージを無線伝送することにより、必要とする情報を知らせるようにしたペ−ジングサービスが運用されている。
【０００３】
　ところで、従来、このようなペ−ジングサービスに用いられるペ−ジング受信機には、サービス情報として発呼者の電話番号と名前データを対応させて記憶手段に記憶し、受信信号として発呼者の電話番号を受信すると、この電話番号に対応する名前を読み出し表示手段に出力するようにしたものがある。
【発明の開示】
【発明が解決しようとする課題】
【０００４】
　ところが、このように発呼者の電話番号に対応して名前データを読み出し出力するものでは、名前のみが出力されても、この名前から、どのような人物かを直ちにイメージできないことがあり、誤った対応をしてしまうという問題点があった。
【０００５】
　本発明は、上記事情に鑑みてなされたもので、発呼者に相当するイメージを理解しやすく表示することができる無線受信装置を提供することを目的とする。
【課題を解決するための手段】
【０００６】
　本発明によれば、受信装置は、識別情報を受信する受信手段と、前記識別情報に対応してイラストパターンを記憶した記憶手段と、表示手段と、前記受信手段で受信した識別情報に基づいて前記記憶手段より対応するイラストパターンを読み出し前記表示手段に表示させる制御手段とにより構成されている。
【０００７】
　また、本発明によれば、受信装置は、識別情報を受信する受信手段と、前記識別情報に対応して発呼者を特定する表示内容、イラストパターンの少なくともひとつを記憶した記憶手段と、表示手段と、前記受信手段で受信した識別情報により該識別情報に対応して前記記憶手段に記憶された前記表示内容またはイラストパターンを読み出し前記表示手段に表示させる制御手段とにより構成されている。
【０００８】
　また、本発明によれば、受信装置は、識別情報を受信する受信手段と、前記識別情報に対応して発呼者を特定する表示内容、イラストパターンとともに表示形態を指示する制御フラグを記憶した記憶手段と、表示手段と、前記受信手段で受信した識別情報により該識別情報に対応して前記記憶手段に記憶された前記制御フラグの指示内容に基づいて前記表示内容またはイラストパターンを読み出し前記表示手段に表示させる制御手段とにより構成されている。
【０００９】
　また、本発明によれば、受信装置は、識別情報を受信する受信手段と、表示形態を指定するモードを設定する設定手段と、各モード毎に前記識別情報に対応して発呼者を特定する表示内容、イラストパターンを個別に記憶する記憶手段と、表示手段と、前記設定手段により設定されたモードに従って前記受信手段で受信した識別情報により該識別情報に対応して前記記憶手段に個別に記憶された表示内容またはイラストパターンをそれぞれ読み出し前記表示手段に表示させる制御手段とにより構成されている。
【００１０】
　この結果、本発明によれば、受信装置は、識別情報を受信手段で受信すると、この識別情報に対応して記憶手段よりイラストパターンを読み出し、これを表示手段に表示するようにしているので、受信した識別情報に従ったイラストを表示できる。
【００１１】
　また、本発明によれば、受信装置は、識別情報を受信手段で受信すると、識別情報に対応して記憶手段より発呼者を特定する表示内容、イラストパターンを読み出し、これらを表示手段に表示するようにしているので、発呼者に相当するイメージを、例えば固有名称に代表される表示内容とイラストとの組み合わせにより理解しやすく表示するようにできる。
【００１２】
　また、本発明によれば、受信装置は、識別情報を受信手段で受信すると、識別情報に対応して記憶手段に記憶されたフラグの指示内容に基づいて発呼者を特定する表示内容、イラストパターンを読み出し、フラグによって指示された表示形態に従ってこれらを表示手段に表示するようにしているので、発呼者に応じて相当するイメージ、例えば固有名称に代表される表示内容とイラストの組み合わせのパターンを選択して表示するようにできる。
【００１３】
　また、本発明によれば、受信装置は、識別情報を受信手段で受信すると、適用モードに対応して個別に記憶手段に記憶されたフラグによって指示された表示形態に基づいて記憶手段より発呼者の固有名称、イラストパターンを読み出し、これらを表示手段に表示するようにしているので、それぞれのモードに応じた表示形態により、相当するイメージ、例えば固有名称に代表される表示内容とイラストの組み合わせをもって表示するようにできる。
【発明の効果】
【００１４】
　本発明によれば、受信装置は、発呼者に相当するイメージを固有名称に代表される表示内容とイラストの組み合わせにより理解しやすく表示でき、また、従来の名前のみが出力され、この名前からどのような人物かを直ちにイメージできないことで、誤って認識することが多かったものに比べて、発呼者を正確に新式することができる。また、発呼者に応じて予め設定されたフラグによる表示形態で、相当するイメージを固有名称に代表される表示内容とイラストの組み合わせにより理解しやすく表示できるようになる。さらに、個人モードや会社モードなど、それぞれのモードに応じて予め設定された表示形態により、相当するイメージを名前とイラストの組み合わせをもって理解しやすく表示できるようにもなる。
【発明を実施するための最良の形態】
【００１５】
　以下、本発明の実施例を図面に従い説明する。
【００１６】
（第１実施例）
　図１は、本発明をページングサービスに適用した例を示している。この場合、プッシュホンなどの電話端末１が接続される電話交換網２には、ページャサービス会社３の管轄する中央制御所３１および送信基地局３２が接続され、例えば、電話端末１より所定の呼出番号を入力すると、ページャサービス会社３の管轄する中央制御所３１を介して送信基地局３２より呼出番号に相当するページング受信機４に呼び出しがなされるようになっている。
【００１７】
　図２は、このようなペ−ジング受信機４の概略構成を示すもので、図において、１１はアンテナで、このアンテナ１１はＲＦ受信部１２に接続し、この受信部１２をデコーダ部１３を介してＣＰＵ１４に接続している。ＲＦ受信部１２は、アンテナ１１で受信した受信データを復調するようにしている。
【００１８】
　デコーダ部１３には、ＩＤ−ＲＯＭ１５を接続している。ＩＤ−ＲＯＭ１５は、当該ペ−ジング受信機に個別に割当てられたＩＤコード、詳細にはフレームデータやアドレスデータ等を記憶したもので、このＩＤコードをデコーダ部１３に与えるようにしている。デコーダ部１３は、ＩＤ−ＲＯＭ１５より取り込んだＩＤコードに基づいてＲＦ受信部１２を間欠駆動するとともに、ＲＦ受信部１２で復調した信号を解読し、これがＩＤコードに一致したと判断すると、一致検出信号および続いて受信されるメッセージデータをＣＰＵ１４に送り込むようにしている。
【００１９】
　ＣＰＵ１４には、表示部１６、キー入力部１７の他に、スピーカ１８、バイブレータ１９、ＬＥＤ２０、ＲＯＭ２１、ＲＡＭ２２を接続している。
【００２０】
　表示部１６は、ＣＰＵ１４から送られてくる各種データを表示するようにしており、液晶パネル駆動回路、表示バッファを備え、液晶パネルなどを備えている。表示手段としては、勿論別の表示素子を用いることができ、例えば、ＥＬディスプレイ、プラズマディスプレイなどを用いることも可能である。また似顔絵を表示する部分はドットマトリクスで構成されている。
【００２１】
　スピーカ１８は、ＣＰＵ１４の制御の下で、図示しない駆動回路を介して呼出し状態を報知音で出力し、同様に、バイブレータ１９は、呼出し状態を振動で、ＬＥＤ２０は、呼出し状態を光の点灯あるいは点滅により出力するようにしている。
【００２２】
　ＲＯＭ２１は、ＣＰＵ１４のために予め用意された制御プログラムを記憶している。
【００２３】
　ＲＡＭ２２は、呼出しに際して送られてきたメッセージ情報を記憶するとともに、図３に示すように特定の複数の発呼者の電話番号ａと、この電話番号ａに対応して名前データｂおよび似顔絵データｃを記憶したメモリエリアを有している。この場合の似顔絵データｃは、発呼者に相当するイメージをイラストパターンで表している。
【００２４】
　ＣＰＵ１４は、ＲＯＭ２１に記憶された制御プログラムにしたがって、各回路を総括的に制御するようになっている。
【００２５】
　次に、以上のように構成した第１実施例の動作を図４に示すフローチャートにより説明する。
【００２６】
この場合、ステップ４０１で、アンテナ１１を介してＲＦ受信部１２で呼出し信号を受信すると、ＲＦ受信部１２では、この呼出し信号を復調してデコーダ部１３に与える。デコーダ部１３では、復調された呼出し信号についてＩＤ−ＲＯＭ１５より与えられる当該ペ−ジング受信機に個別に割当てられたＩＤコードとの一致を判断する。そして、これらが一致した場合のみ、呼出信号受信にともなう呼出信号検出信号をＣＰＵ１４に送出する。
【００２７】
　次に、ステップ４０２で、この呼出し信号の後にメッセージデータが続いているか否かを判断する。ここで、メッセージデータが続いていない場合は、ステップ４０３に進み、呼出信号にともなう受信報知のみを行う。この場合の受信報知は、スピーカ１８、バイブレータ１９、ＬＥＤ２０のいずれによる報知と、呼出しがあったことのみを表示部１６に表示する。
【００２８】
　図５（ａ）は、この場合の表示部１６での表示例を示すもので、表示画面には、受信報知と受信時刻のみが表示される。
【００２９】
　一方、呼出信号の後にメッセージデータが続く場合は、ステップ４０４に進む。ステップ４０４では、呼出信号の後のメッセージデータが電話番号データか否かメッセージデータの先頭部分に識別信号があるか否かで判断する。
【００３０】
　ここで、メッセージデータが電話番号データでない場合は、ステップ４０５に進み、呼出信号にともなう受信報知とともに、メッセージを表示部１６に表示し、さらに、これら電話番号データでないメッセージをデータをＲＡＭ２２に格納して処理を終了する。
【００３１】
　図５（ｂ）は、この場合の表示部１６での表示例を示すもので、表示画面には、受信報知、受信時刻とともに、例えばメッセージデータに基づくメッセージ「至急戻レ」が表示される。
【００３２】
　また、ステップ４０４で、メッセージデータが電話番号データと判断した場合は、ステップ４０６に進む。ステップ４０６では、この時の電話番号データに基づく電話番号の下４桁の番号列とＲＡＭ２２の図３に示すエリアに格納された発呼者の電話番号ａの下４桁の番号列と逸するものがあるかをサーチする。
【００３３】
　このサーチで、一致するものがない場合は、ステップ４０７に進み、呼出信号にともなう受信報知とともに、このメッセージデータの電話番号のみを表示部１６に表示し、さらに、これら電話番号データをＲＡＭ２２に格納して処理を終了する。
【００３４】
　図５（ｃ）は、この場合の表示部１６での表示例を示すもので、例えばメッセージとして電話番号データ識別信号の後に電話番号「１１１−１１１１」を受信したとすると、この電話番号の下４桁の番号列「１１１１」に対し、図３に示すエリアの電話番号ａの下４桁の番号列には一致するものがないので、表示画面には、受信報知、受信時刻とともに、電話番号「１１１−１１１１」がそのまま表示される。
【００３５】
　一方、ステップ４０６でのサーチで、図３に示すエリアに一致する下４桁の番号列があった場合は、ステップ４０８に進み、この下４桁の番号列に対応して名前データがあるかを判断する。
【００３６】
　ここで、名前データがある場合は、ステップ４０９に進み、さらに似顔絵データが含まれているかを判断する。そして、似顔絵データも含まれていれば、ステップ４１０に進み、受信報知とともに、電話番号、名前およびこの似顔絵データに基づく似顔絵を表示部１６に表示し、さらに、これらデータをＲＡＭ２２に格納して処理を終了する。
【００３７】
　図６（ａ）は、この場合の表示部１６での表示例を示すもので、例えばメッセージとして電話番号データ識別信号の後に電話番号「１２３−４５６７」を受信したとすると、この電話番号の下４桁の番号列「４５６７」に対し、図３に示すＲＡＭ２２のエリアの電話番号ａ中の下４桁の番号列「４５６７」のものと一致するので、表示画面には、受信報知、受信時刻とともに、電話番号「１２３−４５６７」、名前「杉尾」および似顔絵が表示される。
【００３８】
　また、ステップ４０９で、似顔絵データが含まれていないと判断した場合は、ステップ４１１に進み、受信報知とともに、名前のみ表示部１６に表示し、さらに、これらデータをＲＡＭ２２に格納して処理を終了する。
【００３９】
　図６（ｂ）は、この場合の表示部１６での表示例を示すもので、例えばメッセージとして電話番号データ識別信号の後に電話番号「４４４−４４４４」を受信したとすると、この電話番号の下４桁の番号列「４４４４」に対し、図３に示すＲＡＭ２２のエリアの電話番号ａ中の下４桁の番号列と一致する似顔絵データがないので、表示画面には、受信報知、受信時刻とともに、電話番号「４４４−４４４４」および名前「青木」が表示される。
【００４０】
　一方、ステップ４０６、ステップ４０８で、図３に示すエリアの電話番号ａの下４桁の番号列と一致するものがあるが、この番号列に対応して名前データがないと判断した場合は、ステップ４１２に進む。
【００４１】
　ステップ４０８で、名前データが存在しなかった場合、ステップ４１２において似顔絵データが含まれているかを判断する。そして、似顔絵データが含まれている場合、ステップ４１３に進み、受信報知とともに、この似顔絵データに基づく似顔絵を表示部１６に表示し、さらに、これらデータをＲＡＭ２２に格納して処理を終了する。
【００４２】
　図６（ｃ）は、この場合の表示部１６での表示例を示すもので、例えばメッセージとして電話番号データ識別信号の後に電話番号「３３３−３３３３」を受信したとすると、この電話番号の下４桁の番号列「３３３３」に対し、図３に示すＲＡＭ２２のエリアの電話番号ａ中の下４桁の番号列「３３３３」のものと一致するので、表示画面には、受信報知、受信時刻とともに、電話番号「３３３−３３３３」および似顔絵が表示される。
【００４３】
　また、ステップ４１２で似顔絵データも含まれていない場合、ステップ４１４に進み、受信報知とともに、電話番号を表示部１６に表示し、これらデータをＲＡＭ２２に格納して処理を終了する。
【００４４】
　図６（ｄ）は、この場合の表示部１６での表示例を示すもので、例えばメッセージとして電話番号データ識別信号の後に電話番号「６６６−６６６６」を受信したとすると、この電話番号の下４桁の番号列「６６６６」に対し、図３に示すＲＡＭ２２のエリアの電話番号ａ中の下４桁の番号列「６６６６」のものと一致するが、この下４桁の番号列「６６６６」に対して似顔絵を格納していないので、表示画面には、受信報知、受信時刻とともに、電話番号「６６６−６６６６」のみが表示される。
【００４５】
　従って、このような実施例によれば、アンテナ１１を介して呼出し信号とともに電話番号データをＲＦ受信部１２で受信し、この時の電話番号の下４桁の番号列に対しＲＡＭ２２のメモリエリアに格納された発呼者の電話番号の下４桁の番号列に一致するものがあると、この電話番号に対応して記憶された発呼者に相当する名前データおよびイラストパターンを読み出し、これらを表示手段１７に表示するようにしているので、発呼者に対応するイメージを名前とイラストの組み合わせにより理解しやすく表示できるようになり、従来の名前のみが出力され、この名前からどのような人物かを直ちにイメージできないことで、誤って確認することが多かったものに比べて、発呼者を正確に確認することができる。
【００４６】
（第２実施例）
　第２実施例におけるペ−ジング受信機の概略構成は、図２と同様で、この場合、ＲＡＭ２２には、図７に示すように発呼が予定される複数の発呼者の電話番号ａ、この電話番号ａに対応して名前データｂ、似顔絵データｃおよびフラグｄを記憶するメモリエリアを有している。ここで、似顔絵データｃは、発呼者に相当するイメージをイラストパターンで表し、また、フラグｄは、表示形態を指定するもので、例えば、フラグ「１」は、名前と似顔絵の表示、フラグ「２」は、似顔絵のみの表示、フラグ「３」は、名前のみの表示をそれぞれの指定している。
【００４７】
　次に、第２実施例の動作を図８に示すフローチャートにより説明する。
【００４８】
この場合、ステップ８０１で、アンテナ１１を介してＲＦ受信部１２で呼出し信号を受信すると、ＲＦ受信部１２では、このを復調してデコーダ部１３に与える。デコーダ部１３では、復調された呼出し信号についてＩＤ−ＲＯＭ１５より与えられる当該ペ−ジング受信機に個別に割当てられたＩＤコードとの一致を判断する。そして、これらが一致した場合のみ、呼出信号受信にともなう呼出信号検出信号をＣＰＵ１４に送出する。
【００４９】
　次に、ステップ８０２で、呼出信号の後にメッセージデータが続いているか否かを判断する。ここで、メッセージデータが続いていない場合は、ステップ８０３に進み、呼出信号にともなう受信報知のみを行う。この場合の受信報知は、スピーカ１８、バイブレータ１９、ＬＥＤ２０のいずれによる報知と、呼出しがあったことのみを表示部１６に表示する。この場合の表示例は、上述した図５（ａ）と同様である。
【００５０】
　一方、呼出信号の後にメッセージデータが続く場合は、ステップ８０４に進む。ステップ８０４では、呼出信号の後のメッセージデータが電話番号データか否かをメッセージデータの先頭部分に識別信号があるか否かで判断する。
【００５１】
　ここで、メッセージデータが電話番号データでない場合は、ステップ８０５に進み、呼出信号にともなう受信報知とともに、メッセージを表示部１６に表示し、さらに、これら電話番号データでないメッセージをデータをＲＡＭ２２に格納して処理を終了する。この場合の表示例は、上述した図５（ｂ）と同様である。
【００５２】
　また、ステップ８０４で、メッセージデータが電話番号データと判断した場合は、ステップ８０６に進む。ステップ８０６では、この時の電話番号データに基づく電話番号の下４桁の番号列とＲＡＭ２２の図７に示すエリアに格納された所定発呼者の電話番号ａの下４桁の番号列と一致するするものがあるかをサーチする。
【００５３】
　このサーチで、一致するものがない場合は、ステップ８０７に進み、呼出信号にともなう受信報知とともに、このメッセージデータの電話番号のみを表示部１６に表示し、さらに、これら電話番号データをＲＡＭ２２に格納して処理を終了する。この場合の表示例は、上述した図５（ｃ）と同様である。
【００５４】
　一方、ステップ８０６でのサーチで、図７に示すエリアに一致する下４桁の番号列があった場合は、ステップ８０８に進み、該当する下４桁の番号列に対応するフラグｄを参照する。
【００５５】
　ここで、フラグ「１」が記憶されている場合は、ステップ８０９に進む。ステップ８０９では、フラグ「１」で定義された表示内容として、受信報知とともに、名前と似顔絵を表示部１６に表示し、これらデータをＲＡＭ２２に格納して処理を終了する。この場合、例えばメッセージとして電話番号データ識別信号の後に電話番号「１２３−４５６７」を受信したとすると、この電話番号の下４桁の番号列「４５６７」に対し、図７に示すＲＡＭ２２のエリアの電話番号ａ中の下４桁の番号列「４５６７」のものと一致し、この番号列に対応するフラグｄは、　「１」なので、表示画面には、上述した図６（ａ）と同様に受信報知、受信時刻とともに、電話番号「１２３−４５６７」、名前「杉尾」および似顔絵が表示される。
【００５６】
　また、フラグ「２」が記憶されている場合は、ステップ８１０に進む。ステップ８１０では、フラグ「２」で定義された表示内容として、受信報知とともに、似顔絵のみを表示部１６に表示し、これらデータをＲＡＭ２２に格納して処理を終了する。この場合、例えばメッセージとして電話番号データ識別信号の後に電話番号「３３３−３３３３」を受信したとすると、この電話番号の下４桁の番号列「３３３３」に対し、図７に示すＲＡＭ２２のエリアの電話番号ａ中の下４桁の番号列「３３３３」のものと一致し、この該当番号列に対応するフラグｄは、「２」なので、表示画面には、上述した図６（ｃ）と同様に受信報知、受信時刻とともに、電話番号「３３３−３３３３」および似顔絵が表示される。
【００５７】
　また、フラグ「３」が記憶されている場合は、ステップ８１１に進む。ステップ８１１では、フラグ「３」で定義された表示内容として、受信報知とともに、名前のみを表示部１６に表示し、これらデータをＲＡＭ２２に格納して処理を終了する。この場合、例えばメッセージとして電話番号データ識別信号の後に電話番号「４４４−４４４４」を受信したとすると、この電話番号の下４桁の番号列「４４４４」に対し、図７に示すＲＡＭ２２のエリアの電話番号ａ中の下４桁の番号列「４４４４」のものと一致し、この番号列に対応するフラグｄは、「３」なので、表示画面には、上述した図６（ｂ）と同様に受信報知、受信時刻とともに、電話番号「４４４−４４４４」および名前が表示される。
【００５８】
　従って、このような実施例によれば、アンテナ１１を介して呼出し信号とともに電話番号データをＲＦ受信部１２で受信し、この時の電話番号の下４桁の番号列に対しＲＡＭ２２のメモリエリアに格納された発呼者の電話番号の下４桁の番号列と一致するものがあると、この電話番号に対応して記憶されたフラグの表示形態に基づいて、発呼者に相当する名前データおよびイラストパターンを読み出し、これらを表示手段１７に表示するようにしているので、発呼者の電話番号データに応じて予め設定される表示形態で、相当するイメージを名前とイラストの組み合わせにより理解しやすく表示できるようになる。また、この場合も従来のものと比べ、発呼者を正確に確認することができる。
【００５９】
（第３実施例）
　第３実施例におけるペ−ジング受信機の概略構成は、図２と同様で、この場合、ＲＡＭ２２には、図９（ａ）に示すように発呼が予定される複数の発呼者の電話番号ａ、この電話番号ａ1 に対応して名前データｂ1 、似顔絵データｃ1 を記憶した第１のメモリエリア、図９（ｂ）に示すように発呼が予定される複数の発呼者の電話番号ａ2 、この電話番号ａ2 に対応して社名データｂ2 、社章データｃ2 を記憶した第２のメモリエリアおよび図９（ｃ）に示すように個人用表示フラグｄ1 、会社用表示フラグｄ2 を記憶した第３のメモリエリアを有している。
【００６０】
　ここで、図９（ａ）に示す似顔絵データｃ1 は、発呼者に相当するイメージをイラストパターンで表し、また、図９（ｂ）に示す社章データｃ2 は、社章のイメージをイラストで表している。また、図９（ｃ）に示す個人用表示フラグｄ1 は、表示形態を指定するもので、フラグ「１」は、名前と似顔絵の表示、フラグ「２」は、似顔絵のみの表示、フラグ「３」は、名前のみの表示を指定し、また、会社用表示フラグｄ2 も表示の種類を指定するもので、フラグ「１」は、社名と社章の表示、フラグ「２」は、社章のみの表示、フラグ「３」は、社名のみの表示を指定するようにしている。
【００６１】
　次に、第３実施例の動作を図１０に示すフローチャートにより説明する。
【００６２】
この場合、ステップ１００１で、アンテナ１１を介してＲＦ受信部１２で呼出し信号を受信すると、ＲＦ受信部１２では、この呼出し信号を復調してデコーダ部１３に与える。デコーダ部１３では、復調された呼出し信号についてＩＤ−ＲＯＭ１５より与えられる当該ペ−ジング受信機に個別に割当てられたＩＤコードとの一致を判断する。そして、これらが一致した場合のみ、呼出信号受信にともなう呼出信号検出信号をＣＰＵ１４に送出する。
【００６３】
　次に、ステップ１００２で、この呼出し信号の後にメッセージデータが続いているか否かを判断する。ここで、メッセージデータが続いていない場合は、ステップ１００３に進み、呼出信号にともなう受信報知のみを行う。この場合の受信報知は、スピーカ１８、バイブレータ１９、ＬＥＤ２０のいずれによる報知と、呼出しがあったことのみを表示部１６に表示する。この場合の表示例は、上述した図５（ａ）と同様である。
【００６４】
　一方、呼出信号の後にメッセージデータが続く場合は、ステップ１００４に進む。ステップ１００４では、呼出信号の後のメッセージデータが電話番号データか否かをメッセージデータの先頭部分に識別信号があるか否かで判断する。
【００６５】
　ここで、メッセージデータが電話番号データでない場合は、ステップ１００５に進み、呼出信号にともなう受信報知とともに、メッセージを表示部１６に表示し、さらに、これら電話番号でないメッセージをデータをＲＡＭ２２に格納して処理を終了する。この場合の表示例は、上述した図５（ｂ）と同様である。
【００６６】
　また、ステップ１００４で、メッセージデータが電話番号データと判断した場合は、ステップ１００６に進む。ステップ１００６では、この時の電話番号データに基づく電話番号の下４桁の番号列とＲＡＭ２２の図９（ａ）（ｂ）に示すメモリエリアに格納された発呼者の電話番号ａの下４桁の番号列と一致するものがあるかをサーチする。
【００６７】
　このサーチで、一致するものがない場合は、ステップ１００７に進み、呼出信号にともなう受信報知とともに、このメッセージデータの電話番号のみを表示部１６に表示し、さらに、これら電話番号データをＲＡＭ２２に格納して処理を終了する。この場合の表示例は、上述した図５（ｃ）と同様である。
【００６８】
　一方、ステップ１００６でのサーチで、図３に示すエリアに一致する４桁の番号列があった場合は、ステップ１００８に進み、本ペ−ジング受信機の表示内容が個人モードに設定されているか、会社モードに設定されているかを判断する。
【００６９】
　ここで、個人モードに設定されている場合は、ステップ１００９に進む。ステップ１００９では、図９（ｃ）に示す個人用フラグｄ1 の内容を参照する。
【００７０】
　ここで、フラグ「１」が記憶されている場合は、ステップ１０１０に進む。ステップ１０１０では、フラグ「１」で定義された表示内容として、受信報知とともに、名前と似顔絵を表示部１６に表示し、これらデータをＲＡＭ２２に格納して処理を終了する。この場合、例えばメッセージとして電話番号データ識別信号の後に電話番号「１２３−４５６７」を受信したとすると、この電話番号の下４桁の番号列「４５６７」に対し、図９（ａ）に示すＲＡＭ２２のエリアの電話番号ａ中の下４桁の番号列「４５６７」のものと一致するので、表示画面には、上述した図６（ａ）と同様に受信報知、受信時刻とともに、電話番号「１２３−４５６７」、名前「杉尾」および似顔絵が表示される。
【００７１】
　また、フラグ「２」が記憶されている場合は、ステップ１０１１に進む。ステップ１０１１では、フラグ「２」で定義された表示内容として、受信報知とともに、似顔絵のみを表示部１６に表示し、これらデータをＲＡＭ２２に格納して処理を終了する。この場合、例えばメッセージとして電話番号データ識別信号の後に電話番号「１２３−４５６７」を受信したとすると、この電話番号の下４桁の番号列「４５６７」に対し、図９（ａ）に示すＲＡＭ２２のエリアの電話番号ａ中の下４桁の番号列「４５６７」のものと一致するので、表示画面には、図１１（ａ）に示すように、名前データの表示を除いて受信報知、受信時刻とともに、電話番号「１２３−４５６７」および似顔絵が表示される。
【００７２】
　また、フラグ「３」が記憶されている場合は、ステップ１０１２に進む。ステップ１０１２では、フラグ「３」で定義された表示内容として、受信報知とともに、名前のみを表示部１６に表示し、これらデータをＲＡＭ２２に格納して処理を終了する。この場合、例えばメッセージとして電話番号データ識別信号の後に電話番号「１２３−４５６７」を受信したとすると、この電話番号の下４桁の番号列「４５６７」に対し、図９（ａ）に示すＲＡＭ２２のエリアの電話番号ａ中の下４桁の番号列「４５６７」のものと一致するので、表示画面には、図１１　（ｂ）に示すように似顔絵データの表示を除いて受信報知、受信時刻とともに、電話番号「１２３−４５６７」および名前が表示される。
【００７３】
　一方、ステップ１００８で、会社モードが設定されていると判断された場合は、ステップ１０１３に進む。ステップ１０１３では、図９（ｃ）に示す会社用フラグｄ2 の内容を参照する。
【００７４】
　ここで、フラグ「１」が記憶されている場合は、ステップ１０１４に進む。ステップ１０１４では、フラグ「１」で定義された表示内容として、受信報知とともに、社名と社章を表示部１６に表示し、これらデータをＲＡＭ２２に格納して処理を終了する。この場合、例えばメッセージとして電話番号データ識別信号の後に電話番号「１２３−４５６７」を受信したとすると、この電話番号の下４桁の番号列「４５６７」に対し、図９（ｂ）に示すＲＡＭ２２のエリアの電話番号ａ中の下４桁の番号列「４５６７」のものと一致するので、表示画面には、図１２（ａ）に示すように受信報知、受信時刻とともに、電話番号「１２３−４５６７」、社名「○山工業」および社章が表示される。
【００７５】
　また、フラグ「２」が記憶されている場合は、ステップ１０１５に進む。ステップ１０１５では、フラグ「２」で定義された表示内容として、受信報知とともに、社章のみを表示部１６に表示し、これらデータをＲＡＭ２２に格納して処理を終了する。この場合、例えばメッセージとして電話番号データ識別信号の後に電話番号「１２３−４５６７」を受信したとすると、この電話番号の下４桁の番号列「４５６７」に対し、図９（ｂ）に示すＲＡＭ２２のエリアの電話番号ａ中の下４桁の番号列「４５６７」のものと一致するので、表示画面には、図１２　（ｂ）に示すように、社名データの表示を除いて、受信報知、受信時刻とともに、電話番号「１２３−４５６７」および社章が表示される。
【００７６】
　また、フラグ「３」が記憶されている場合は、ステップ１０１６に進む。ステップ１０１６では、フラグ「３」で定義された表示内容として、受信報知とともに、社名のみを表示部１６に表示し、これらデータをＲＡＭ２２に格納して処理を終了する。この場合、例えばメッセージとして電話番号データ識別信号の後に電話番号「１２３−４５６７」を受信したとすると、この電話番号の下４桁の番号列「４５６７」に対し、図９（ｂ）に示すＲＡＭ２２のエリアの電話番号ａ中の下４桁の番号列「４５６７」のものと一致するので、表示画面には、図１２　（ｃ）に示すように社章データの表示を除いて受信報知、受信時刻とともに、電話番号「１２３−４５６７」および社名が表示される。
【００７７】
　従って、このような実施例によれば、アンテナ１１を介して呼出し信号とともに電話番号データをＲＦ受信部１２で受信し、この時の電話番号の下４桁の番号列に対しＲＡＭ２２のメモリエリアに格納された発呼者の電話番号の下４桁の番号列と一致するものがあると、適用モードに対応して記憶されたフラグによって指定された表示形態に基づいて、発呼者に対応する名前データおよびイラストパターンを読み出し、これらを表示手段１７に表示するようにしているので、個人モードや会社モードなど、それぞれのモードに応じたフラグの表示形態により、相当するイメージを名前とイラストの組み合わせをもって理解しやすく表示できるようになる。また、この場合も従来のものと比べ、発呼者を正確に認識することができる。
【００７８】
　なお、本発明は、上記実施例にのみ限定されず、要旨を変更しない範囲で、適宜変形して実施できる。
【００７９】
　例えば、本発明は、公衆回線を利用したページャに限らず、無線通信機能を有する各種タイプの受信装置に適用される。つまり公衆回線を利用しない構成ページャや赤外線などで通信する通信機能付きの玩具または通信機能を有するパーソナルコンピュータ、電子手帳、その他の電子計算処理装置にも本発明は適用できる。
【図面の簡単な説明】
【００８０】
【図１】本発明の第１実施例が適用される通信システムの一例を示す図。
【図２】第１実施例に用いられるペ−ジング受信機の概略構成を示す図。
【図３】第１実施例に用いられるＲＡＭのメモリエリアを示す図。
【図４】第１実施例の動作を説明するためのフローチャート。
【図５】第１実施例の表示部での表示例を示す図。
【図６】第１実施例の表示部での表示例を示す図。
【図７】第２実施例に用いられるＲＡＭのメモリエリアを示す図。
【図８】第２実施例の動作を説明するためのフローチャート。
【図９】第３実施例に用いられるＲＡＭのメモリエリアを示す図。
【図１０】第３実施例の動作を説明するためのフローチャート。
【図１１】第３実施例の表示部での表示例を示す図。
【図１２】第３実施例の表示部での表示例を示す図。
【符号の説明】
【００８１】
　１…電話端末、
　２…電話交換網、
　３…ページャサービス会社、
　３１…中央制御所、
　３２…送信基地局、
　４…ページング受信機、
　１１…アンテナ、
　１２…ＲＦ受信部、
　１３…デコーダ部、
　１４…ＣＰＵ、
　１５…ＩＤ−ＲＯＭ、
　１６…表示部、
　１７…入力部、
　１８…スピーカ、
　１９…バイブレータ、
　２０…ＬＥＤ、
　２１…ＲＯＭ、
　２２…ＲＡＭ。
【図１】
2004080804.tif 000003
【図２】
2004080804.tif 000004
【図３】
2004080804.tif 000005
【図４】
2004080804.tif 000006
【図５】
2004080804.tif 000007
【図６】
2004080804.tif 000008
【図７】
2004080804.tif 000009
【図８】
2004080804.tif 000010
【図９】
2004080804.tif 000011
【図１０】
2004080804.tif 000012
【図１１】
2004080804.tif 000013
【図１２】
2004080804.tif 000014
【手続補正書】
【提出日】平成15年10月16日(2003.10.16)
【手続補正２】
【補正対象書類名】特許請求の範囲
【補正対象項目名】全文
【補正方法】変更
【補正の内容】
【特許請求の範囲】
【請求項１】
　発呼者を識別できる識別情報を受信する受信手段と、
　前記受信手段で受信し得る各識別情報に対応して、表示可能な情報として発呼者の名前を表す文字情報と発呼者の顔を表す画像情報、及び表示を制御する情報として前記文字情報及び画像情報の内のどれを表示するかを指定する制御情報をそれぞれ記憶する記憶手段と、
　表示手段と、
　前記受信手段で受信した識別情報に基づいて、当該識別情報に対応して前記記憶手段に記憶されている文字情報及び画像情報の中から前記制御情報により表示指定されている情報を読み出して前記表示手段に表示させる制御手段と、
　を具備したことを特徴とする無線通信装置。
【請求項２】
発呼者を識別できる識別情報を受信する受信手段と、
　前記受信手段で受信し得る各識別情報に対応して、表示可能な情報として発呼者の名前を表す文字情報と発呼者の顔を表す画像情報とを記憶する記憶手段と、
　前記文字情報及び画像情報の内のどれを表示するかを指定する制御情報が設定記憶される制御情報記憶手段と、
　表示手段と、
　前記受信手段で受信した識別情報に基づいて、当該識別情報に対応して前記記憶手段に記憶されている前記文字情報及び画像情報の中から前記制御情報により表示指定されている情報を読み出して前記表示手段に表示させる制御手段と、
　を具備したことを特徴とする無線通信装置。
【請求項３】
　前記制御手段は、前記受信手段で識別情報を受信した際に、当該識別情報に対応して前記記憶手段に記憶されている前記文字情報及び画像情報を前記制御情報に基づいて選択的に読み出すことを特徴とする請求項１又は２記載の無線通信装置。
【請求項４】
　前記画像情報は、発呼者の似顔絵であることを特徴とする請求項１乃至３の何れかに記載の無線通信装置。
【請求項５】
　電話番号データを受信する受信手段と、
　複数の電話番号をそれぞれその所有者の名前を表す文字情報、所有者の顔を表す画像情報、及び前記文字情報及び画像情報の内のどれを表示するかを指定する制御情報とともに記憶する記憶手段と、
　表示手段と、
　前記受信手段で受信した電話番号データに基づいて前記記憶手段に記憶されている複数の電話番号の中から対応する電話番号を検索し、検索された電話番号とともに記憶されている文字情報及び画像情報の中から前記制御情報により表示指定されている情報を読み出して前記表示手段に表示させる制御手段と、
　を具備したことを特徴とする無線通信装置。
【請求項６】
　電話番号データを受信する受信手段と、
　複数の電話番号をそれぞれその所有者の名前を表す文字情報及び所有者の顔を表す画像情報とともに記憶する記憶手段と、
　前記文字情報及び画像情報の内のどれを表示するかを指定する制御情報が設定記憶される制御情報記憶手段と、
　表示手段と、
　前記受信手段で受信した電話番号データに基づいて前記記憶手段に記憶されている複数の電話番号の中から対応する電話番号を検索し、検索された電話番号とともに記憶されている文字情報及び画像情報の中から前記制御情報により表示指定されている情報を読み出して前記表示手段に表示させる制御手段と、
　を具備したことを特徴とする無線通信装置。
【請求項７】
　前記制御手段は、前記受信手段で電話番号データを受信した際に、当該電話番号に対応して前記記憶手段に記憶されている前記文字情報及び画像情報を前記制御情報に基づいて選択的に読み出すことを特徴とする請求項５又は６記載の無線通信装置。
【請求項８】
　前記画像情報は、所有者の似顔絵であることを特徴とする請求項５乃至７の何れかに記載の無線通信装置。
【手続補正３】
【補正対象書類名】明細書
【補正対象項目名】０００１
【補正方法】変更
【補正の内容】
【０００１】
　本発明は、無線通信装置、特に、電話番号のような個人を識別できる識別情報と名前データ等を対応付けて記憶する記憶手段を備え、受信した電話番号等の識別情報に基づいて対応する名前等を表示する機能を備えた無線通信装置に関するものである。
【手続補正４】
【補正対象書類名】明細書
【補正対象項目名】０００２
【補正方法】変更
【補正の内容】
【０００２】
　最近、加入者が携帯する無線通信装置の一種であるペ−ジング受信機に対して一般電話機より交換局を介して呼出番号とともに情報メッセージを無線伝送することにより、必要とする情報を知らせるようにしたペ−ジングサービスが運用されている。
【手続補正５】
【補正対象書類名】明細書
【補正対象項目名】０００３
【補正方法】変更
【補正の内容】
【０００３】
　ところで、従来、このようなペ−ジングサービスに用いられるペ−ジング受信機には、発呼者の電話番号と名前データを対応させて記憶手段に記憶し、受信信号として発呼者の電話番号を受信すると、この電話番号に対応する名前を読み出し表示手段に出力するようにしたものがある。
【手続補正６】
【補正対象書類名】明細書
【補正対象項目名】０００５
【補正方法】変更
【補正の内容】
【０００５】
　本発明は、上記事情に鑑みてなされたもので、発呼者の電話番号のような発呼者を識別することができる情報に基づいて、発呼者がどのような人物であったかをイメージしやすく表示することができ、且つその表示形態を切替設定できる無線通信装置を提供することを目的とする。
【手続補正７】
【補正対象書類名】明細書
【補正対象項目名】０００６
【補正方法】変更
【補正の内容】
【０００６】
　本発明によれば、無線通信装置は、発呼者を識別できる識別情報を受信する受信手段と、前記受信手段で受信し得る各識別情報に対応して、表示可能な情報として発呼者の名前を表す文字情報と発呼者の顔を表す画像情報、及び表示を制御する情報として前記文字情報及び画像情報の内のどれを表示するかを指定する制御情報をそれぞれ記憶する記憶手段と、表示手段と、前記受信手段で受信した識別情報に基づいて、当該識別情報に対応して前記記憶手段に記憶されている文字情報及び画像情報の中から前記制御情報により表示指定されている情報を読み出して前記表示手段に表示させる制御手段とにより構成されている。
　前記制御手段は、望ましくは、前記受信手段で識別情報を受信した際に、当該識別情報に対応して前記記憶手段に記憶されている前記文字情報及び画像情報を前記制御情報に基づいて選択的に読み出して前記表示手段に表示させる制御手段である。
【手続補正８】
【補正対象書類名】明細書
【補正対象項目名】０００７
【補正方法】変更
【補正の内容】
【０００７】
　また、本発明によれば、無線通信装置は、発呼者を識別できる識別情報を受信する受信手段と、前記受信手段で受信し得る各識別情報に対応して、表示可能な情報として発呼者の名前を表す文字情報と発呼者の顔を表す画像情報とを記憶する記憶手段と、前記文字情報及び画像情報の内のどれを表示するかを指定する制御情報が設定記憶される制御情報記憶手段と、表示手段と、前記受信手段で受信した識別情報に基づいて、当該識別情報に対応して前記記憶手段に記憶されている前記文字情報及び画像情報の中から前記制御情報により表示指定されている情報を読み出して前記表示手段に表示させる制御手段とにより構成されている。
　前記制御手段は、望ましくは、前記受信手段で識別情報を受信した際に、当該識別情報に対応して前記記憶手段に記憶されている前記文字情報及び画像情報を前記制御情報に基づいて選択的に読み出して前記表示手段に表示させる制御手段である。
【手続補正９】
【補正対象書類名】明細書
【補正対象項目名】０００８
【補正方法】変更
【補正の内容】
【０００８】
　また、本発明によれば、無線通信装置は、電話番号データを受信する受信手段と、複数の電話番号をそれぞれその所有者の名前を表す文字情報、所有者の顔を表す画像情報、及び前記文字情報及び画像情報の内のどれを表示するかを指定する制御情報とともに記憶する記憶手段と、表示手段と、前記受信手段で受信した電話番号データに基づいて前記記憶手段に記憶されている複数の電話番号の中から対応する電話番号を検索し、検索された電話番号とともに記憶されている文字情報及び画像情報の中から前記制御情報により表示指定されている情報を読み出して前記表示手段に表示させる制御手段とにより構成されている。
　前記制御手段は、望ましくは、前記受信手段で電話番号データを受信した際に、当該電話番号に対応して前記記憶手段に記憶されている前記文字情報及び画像情報を前記制御情報に基づいて選択的に読み出して前記表示手段に表示させる制御手段である。
【手続補正１０】
【補正対象書類名】明細書
【補正対象項目名】０００９
【補正方法】変更
【補正の内容】
【０００９】
　また、本発明によれば、無線通信装置は、電話番号データを受信する受信手段と、複数の電話番号をそれぞれその所有者の名前を表す文字情報及び所有者の顔を表す画像情報とともに記憶する記憶手段と、前記文字情報及び画像情報の内のどれを表示するかを指定する制御情報が設定記憶される制御情報記憶手段と、表示手段と、前記受信手段で受信した電話番号データに基づいて前記記憶手段に記憶されている複数の電話番号の中から対応する電話番号を検索し、検索された電話番号とともに記憶されている文字情報及び画像情報の中から前記制御情報により表示指定されている情報を読み出して前記表示手段に表示させる制御手段とにより構成されている。
　前記制御手段は、望ましくは、前記受信手段で電話番号データを受信した際に、当該電話番号に対応して前記記憶手段に記憶されている前記文字情報及び画像情報を前記制御情報に基づいて選択的に読み出して前記表示手段に表示させる制御手段である。
【手続補正１１】
【補正対象書類名】明細書
【補正対象項目名】００１０
【補正方法】変更
【補正の内容】
【００１０】
　この結果、本発明によれば、無線通信装置は、受信手段で受信した識別情報に基づいて、当該識別情報に対応して記憶手段に表示可能な情報記憶されている発呼者の名前を表す文字情報及び発呼者の顔を表す画像情報の中から、これらの情報とともに前記記憶手段に記憶されている制御情報によって表示指定されている情報を読み出して表示手段に表示させるようにしているので、前記制御情報を発呼者毎に適切に設定することにより、例えば、良く知っている相手に対しては相手の名前を表す文字情報或いは相手の顔を表す画像情報（例えば、似顔絵）の何れか一方のみを表示させ、それ以外の相手に対しては、相手をイメージし易いように、相手の名前を表す文字情報と相手の顔を表す画像情報の両方を表示させるようにすることができる。
【手続補正１２】
【補正対象書類名】明細書
【補正対象項目名】００１１
【補正方法】変更
【補正の内容】
【００１１】
　また、本発明によれば、無線通信装置は、受信手段で受信した識別情報に基づいて、当該識別情報に対応して記憶手段に表示可能な情報記憶されている発呼者の名前を表す文字情報及び発呼者の顔を表す画像情報の中から、制御情報記憶手段に記憶されている制御情報によって表示指定されている情報を読み出して表示手段に表示させるようにしているので、例えば、前記制御情報を時間帯に応じてこまめに設定することにより、プライベイトタイムには例えば相手の顔を表す画像情報（例えば、似顔絵）のみを表示させ、ビジネスタイムには、相手をイメージし易いように、相手の名前を表す文字情報と相手の顔を表す画像情報の両方を表示させるようにすることができる。
【手続補正１３】
【補正対象書類名】明細書
【補正対象項目名】００１２
【補正方法】変更
【補正の内容】
【００１２】
　また、本発明によれば、無線通信装置は、受信手段で受信した電話番号データに基づいて記憶手段に記憶されている複数の電話番号の中から対応する電話番号を検索し、検索された電話番号とともに記憶されている所有者の名前を表す文字情報及び所有者の顔を表す画像情報の中から、これらの情報とともに前記記憶手段に記憶されている制御情報によって表示指定されている情報を読み出して表示手段に表示させるようにしているので、前記制御情報を電話番号毎に適切に設定することにより、例えば、良く知っている相手に対しては相手の名前を表す文字情報或いは相手の顔を表す画像情報（例えば、似顔絵）の何れか一方のみを表示させ、それ以外の相手に対しては、相手をイメージし易いように、相手の名前を表す文字情報と相手の顔を表す画像情報の両方を表示させるようにすることができる。
【手続補正１４】
【補正対象書類名】明細書
【補正対象項目名】００１３
【補正方法】変更
【補正の内容】
【００１３】
　また、本発明によれば、無線通信装置は、受信手段で受信した電話番号データに基づいて記憶手段に記憶されている複数の電話番号の中から対応する電話番号を検索し、検索された電話番号とともに記憶されている所有者の名前を表す文字情報及び所有者の顔を表す画像情報の中から、制御情報記憶手段に記憶されている制御情報によって表示指定されている情報を読み出して表示手段に表示させるようにしているので、例えば、前記制御情報を時間帯に応じてこまめに設定することにより、プライベイトタイムには例えば相手の顔を表す画像情報（例えば、似顔絵）のみを表示させ、ビジネスタイムには、相手をイメージし易いように、相手の名前を表す文字情報と相手の顔を表す画像情報の両方を表示させるようにすることができる。
【手続補正１５】
【補正対象書類名】明細書
【補正対象項目名】００１４
【補正方法】変更
【補正の内容】
【００１４】
　以上述べたように本発明によれば、発呼者を識別できる識別情報や電話番号に対応して発呼者の名前を表す文字情報及び発呼者の顔を表す画像情報を記憶するとともに、前記文字情報及び画像情報の内のどれを表示するかを指定する制御情報を識別情報や電話番号毎の個別制御情報として或いは複数の識別情報や電話番号に共通の制御情報として設定するようにしたので、例えば、良く知らない相手に対してやビジネスタイムでは、相手をイメージし易いように、相手の名前を表す文字情報と相手の顔を表す画像情報の両方を表示させる表示形態に設定し、良く知っている相手に対してやプライベイトタイムでは、相手の顔を表す画像情報のみを表示させる表示形態に設定する、という使い分けができる。
【手続補正１６】
【補正対象書類名】明細書
【補正対象項目名】００２９
【補正方法】変更
【補正の内容】
【００２９】
　一方、呼出信号の後にメッセージデータが続く場合は、ステップ４０４に進む。ステップ４０４では、呼出信号の後のメッセージデータが電話番号データか否かをメッセージデータの先頭部分に識別信号があるか否かで判断する。
【手続補正１７】
【補正対象書類名】明細書
【補正対象項目名】００３０
【補正方法】変更
【補正の内容】
【００３０】
　ここで、メッセージデータが電話番号データでない場合は、ステップ４０５に進み、呼出信号にともなう受信報知とともに、メッセージを表示部１６に表示し、さらに、これら電話番号データでないメッセージデータをＲＡＭ２２に格納して処理を終了する。
【手続補正１８】
【補正対象書類名】明細書
【補正対象項目名】００３２
【補正方法】変更
【補正の内容】
【００３２】
　また、ステップ４０４で、メッセージデータが電話番号データと判断した場合は、ステップ４０６に進む。ステップ４０６では、この時の電話番号データに基づく電話番号の下４桁の番号列とＲＡＭ２２の図３に示すエリアに格納された発呼者の電話番号ａの下４桁の番号列とを比較しながら、一致するものがあるかをサーチする。
【手続補正１９】
【補正対象書類名】明細書
【補正対象項目名】００４５
【補正方法】変更
【補正の内容】
【００４５】
　従って、このような実施例によれば、アンテナ１１を介して呼出し信号とともに電話番号データをＲＦ受信部１２で受信し、この時の電話番号の下４桁の番号列に対しＲＡＭ２２のメモリエリアに格納された発呼者の電話番号の下４桁の番号列に一致するものがあると、この電話番号に対応して記憶された発呼者に相当する名前データおよびイラストパターンを読み出し、これらを表示手段１７に表示するようにしているので、発呼者に対応するイメージを名前とイラストの組み合わせにより理解しやすく表示できるようになり、従来の名前のみが出力され、この名前からどのような人物かを直ちにイメージできないことで、誤って認識することが多かったものに比べて、発呼者を正確に認識することができる。
【手続補正２０】
【補正対象書類名】明細書
【補正対象項目名】００４９
【補正方法】変更
【補正の内容】
【００４９】
　次に、ステップ８０２で、呼出信号の後にメッセージデータが続いているか否かを判断する。ここで、メッセージデータが続いていない場合は、ステップ８０３に進み、呼出信号にともなう受信報知のみを行う。この場合の受信報知は、スピーカ１８、バイブレータ１９、ＬＥＤ２０のいずれかによる報知と、呼出しがあったことのみを表示部１６に表示する。この場合の表示例は、上述した図５（ａ）と同様である。
【手続補正２１】
【補正対象書類名】明細書
【補正対象項目名】００５１
【補正方法】変更
【補正の内容】
【００５１】
　ここで、メッセージデータが電話番号データでない場合は、ステップ８０５に進み、呼出信号にともなう受信報知とともに、メッセージを表示部１６に表示し、さらに、これら電話番号データでないメッセージデータをＲＡＭ２２に格納して処理を終了する。この場合の表示例は、上述した図５（ｂ）と同様である。
【手続補正２２】
【補正対象書類名】明細書
【補正対象項目名】００５２
【補正方法】変更
【補正の内容】
【００５２】
　また、ステップ８０４で、メッセージデータが電話番号データと判断した場合は、ステップ８０６に進む。ステップ８０６では、この時の電話番号データに基づく電話番号の下４桁の番号列とＲＡＭ２２の図７に示すエリアに格納されている発呼者の電話番号ａの下４桁の番号列とを比較しながら、一致するものがあるかをサーチする。
【手続補正２３】
【補正対象書類名】明細書
【補正対象項目名】００５８
【補正方法】変更
【補正の内容】
【００５８】
　従って、このような実施例によれば、アンテナ１１を介して呼出し信号とともに電話番号データをＲＦ受信部１２で受信し、この時の電話番号の下４桁の番号列に対しＲＡＭ２２のメモリエリアに格納された発呼者の電話番号の下４桁の番号列と一致するものがあると、この電話番号に対応して記憶されたフラグで指定される表示形態に基づいて、発呼者に相当する名前データおよびまたはイラストパターンを読み出し、これらを表示手段１７に表示するようにしているので、発呼者の電話番号データに応じて予め設定される表示形態で、相当するイメージを名前とイラストの組み合わせにより理解しやすく表示できるようになる。また、この場合も従来のものと比べ、発呼者を正確に認識することができる。
【手続補正２４】
【補正対象書類名】明細書
【補正対象項目名】００６３
【補正方法】変更
【補正の内容】
【００６３】
　次に、ステップ１００２で、この呼出し信号の後にメッセージデータが続いているか否かを判断する。ここで、メッセージデータが続いていない場合は、ステップ１００３に進み、呼出信号にともなう受信報知のみを行う。この場合の受信報知は、スピーカ１８、バイブレータ１９、ＬＥＤ２０のいずれかによる報知と、呼出しがあったことのみを表示部１６に表示する。この場合の表示例は、上述した図５（ａ）と同様である。
【手続補正２５】
【補正対象書類名】明細書
【補正対象項目名】００６５
【補正方法】変更
【補正の内容】
【００６５】
　ここで、メッセージデータが電話番号データでない場合は、ステップ１００５に進み、呼出信号にともなう受信報知とともに、メッセージを表示部１６に表示し、さらに、これら電話番号でないメッセージデータをＲＡＭ２２に格納して処理を終了する。この場合の表示例は、上述した図５（ｂ）と同様である。
【手続補正２６】
【補正対象書類名】明細書
【補正対象項目名】００６８
【補正方法】変更
【補正の内容】
【００６８】
　一方、ステップ１００６でのサーチで、図３に示すエリアに一致する４桁の番号列があった場合は、ステップ１００８に進み、本ペ−ジング受信機のモードが個人モードに設定されているか、会社モードに設定されているかを判断する。